(57)【特許請求の範囲】
【請求項１】
収納ケースの底面に収容されている収納物品を押し出し摘出させる収納物品のポップアップ機構が、
収納物品の先端に当接するように収納ケースの前側面に突設された第一スプリングと、
前記第一スプリングの上部に設けられた上面突部と、
収納物品の後端底部を押し上げるように収納ケースの後方底面に設けられた板状の第二スプリングと、
一端に第二スプリングを他端に押圧部を一体的に形成した軸回転する厚板状の回転摘出部と、
回転摘出部の一端をコの字型に形成して底面の第二スプリングに対向する上側に設けた短い係止突起部と、
回転摘出部を軸支する回転軸と、
からなり、
回転摘出部の他端の押圧部が下に押し下げられることにより軸回転して一端の第二スプリングが上に移動し、収納物品の後端上部が係止突起部に一時的に当接係止し、第二スプリングがさらに回転移動して底部が持ち上げられることにより後端上部と係止突起部の当接係止状態が外れて底面に収容されていた収納物品が収納ケース底面から押し上げられて外部へ勢いよく撥ね出される構造であることを特徴とするポップアップ機構。
【請求項２】
前記ポップアップ機構は、薄型の収納物品を収容する収納台と蓋体とからなる収納ケースに装備されており、前記収納台は、収納物品を収容するために収納物品と略同形状の収納スペースを持つ直方体形状の収納部と、収納部の前側面上部に突設される上面突部と、からなることを特徴とする請求項1記載のポップアップ機構。
【請求項３】
前記ポップアップ機構は、ポップアップ機構によるポップアップ力を抑制するために収納部の両横側面の一部に、側面の外壁を削設した凹部と、前記凹部により薄く形成された側面の内側に突設した突起と、からなる抑止部を設けたことを特徴とする請求項２記載のポップアップ機構。
【請求項４】
前記収納ケースは、収納部の全体が一つの部材で一体成形されていることを特徴とする請求項２記載のポップアップ機構。
【発明の詳細な説明】
【技術分野】
【０００１】
本発明は、てこの原理を利用し、収納ケースに収容されている厚さの薄い収納物品を小さな押圧力で容易に撥ね上げ摘出させることを特徴とするポップアップ機構および、前記ポップアップ機構を利用した薄型物品収納ケースに関する。
【背景技術】
【０００２】
ＳＤカードの収納ケースのような小型で薄型の収納物品を収納する容器にあっては、指し込み収納時より収納ケースからの取り出しが困難なことが多い。特に慎重な取り扱いを要求される半導体のメモリにあっては取り出しの際に取り落としたりすることの無いように極小の収納ケースに工夫を施す必要がある。そこで、小さな外部からの力で大きな移動（作用）が実現できる、てこの原理を取り出しに利用することが考えられた。
てこの原理では力点に外部から適宜の力をかけることで、作用点で大きな力を生み出すことができる。
【０００３】
大きな力を生み出すためには力点での移動距離を大きく取る必要がある。薄型に形成された物品、例えばＳＤカード（Ｓｅｃｕｒｅ  Ｄｉｇｉｔａｌメモリーカード）の収納ケースでは、ＳＤ（Ｓｅｃｕｒｅ  Ｄｉｇｉｔａｌ）カードを取り出す際、てこの原理を利用したケースを構成しようとすると、ケースの厚みが大きくなることが考えられ、極小型かつ超薄型であるＳＤカードの収納ケースの利点が損なわれてしまう可能性が高い。通常のＳＤカードの収納ケースには、ＳＤカードに指をかけてケースから取り出す構造が用いられている。ただし、超薄型で小型であるため微妙な取り扱いが必要であり、器用に取り出すには機器を取扱うための慣れが必要となっていた。
【０００４】
従来の小型収納ケースには、指をかけ易くするための窪み部分を設けているが、ＳＤカードのような薄型の収納物品の場合は、厚みのある物品よりも取り出しにくいという難点は依然として残っている。また、取り出す際にＳＤカードにかかる力が取り扱う人によって異なるため、無理に取り出そうとして収納物品に過剰に大きな力が加わることがあったり、収納物品に指をかけられる範囲（部分）が小さい又は狭いため、その小さな範囲に集中して力が加わることにより、ＳＤカード等の薄型の収納物品を変形させる恐れがあった。
そこで、ワンタッチで収納ケースから安全に取り出すことが出来る構造の収納ケースの開発が待たれていた。
【０００５】
【特許文献１】特開２００３−１７０９８０号
【発明の開示】
【発明が解決しようとする課題】
【０００６】
本件発明は、上記問題点を解消するために、外部から加えられる押圧の移動距離が小さな場合においても、構造を工夫して、てこの原理を利用し、大きな撥ね上げ反発力を得ることができるポップアップ機構と、前記ポップアップ機構を利用した薄型物品の収納ケースを提供することを目的とする。
【課題を解決するための手段】
【０００７】
上記目的を達成するために本発明に係るポップアップ機構は、収納ケースの底面に収容されている収納物品を押し出し摘出させる収納物品のポップアップ機構であって、収納物品の先端に当接する収納ケースの前側面上部に設けられた突片からなる第一スプリングと、収納物品の後端底部を押し上げるように収納ケースの後方底面に設けられた板状の第二スプリングと、一端に第二スプリングを他端に押圧部を一体的に形成した軸回転する厚板状の回転摘出部と、回転摘出部を軸支する回転軸と、からなり、回転摘出部の他端の押圧部が下に押されることにより軸回転して一端の第二スプリングが上に移動し、底面に収容されていた収納物品が収納ケース底面から押し上げられて外部に摘出される構成である。
【０００８】
また、本発明にかかるポップアップ機構は、ポップアップ力をため込むことによって勢いよく撥ね上げ解放する力を得るために、回転摘出部の他端をコの字型に形成して底面の第二スプリングに対向する上側に短い係止突起部を設けた構成からなり、回転摘出部の一端の押圧部が押し下げられ第二スプリングが上に移動したときに持ち上げられた収納物品の後端上部が係止突起部に一時的に当接係止し、第二スプリングがさらに回転移動して底部が持ち上げられることにより後端上部と係止突起部の当接係止状態が外れて収納物品が外部へ勢いよく撥ね出される構造である。
【０００９】
また、本発明にかかる収納ケースは、薄型の収納物品を収容する収納台と蓋体とからなる収納ケースであって、収納台は、収納物品を収容するために収納物品と略同形状の収納スペースを持つ直方体形状の収納部と、収納部の前側面上部に突設される上面突部と、収納物品の先端と当接するように収納部の前側面上部に設けられた突片からなる第一スプリングと、収納物品の後端底部を勢いよく押し上げるように収納部の後端底面に設けられた板状の第二スプリングと、一端に第二スプリングを他端に押圧部を一体的に形成した軸回転する厚板状の回転摘出部と、回転摘出部を軸支する回転軸と、からなるポップアップ機構を有する構成である。
【００１０】
また、収納ケースは、ポップアップ機構によるポップアップ力を抑制するために収納部の両横側面の一部に、側面の外壁を削設した凹部と、前記凹部により薄く形成された側面の内側に突設した突起と、からなる抑止部を設けた構成でもある。
さらに、収納ケースの収納部は、一体成形されている構成でもある。
【発明の効果】
【００１１】
本発明に係るポップアップ機構は、上記詳述した通りの構成であるので、以下のような効果を奏する、
１．２つのスプリングを設けることにより、移動距離が少なく、通常はてこの原理を利用できないような小さな容器の該当箇所においても大きな力を生み出すことができる構造であるので収容されている収納物を容易に取り出すことができる。
また、構造の簡単なスプリングを２つ使用することにより、単純な作動で操作が確実であり、バネの経たりも少なく、トラブルの発生がなく修理なしに長持ちさせることができる。また、可塑性素材をスプリングとして使用しているため、取り出しが容易にできるとともに、収納状態では、収納物品に負担がかからないという効果を有する。
２．係止突起部を設けているので、持ち上げ時に、当接解除に時間差を持たせることでポップアップ力をため込み、より大きな撥ね上げ解放力を得ることができる。また、物品収納時には収納物品が収納部から誤って外部に出ることを防ぐ効果を有する。
【００１２】
３．ポップアップ機構を薄型の物品を収容するケースに利用することにより、薄型の物品を取り出す際、過剰な力が薄型の収納物品にかかることがないので、収納物品を変形させてしまう虞がないとともに、収納物品にかかる力を均等にすることができる。また、回転摘出部の押圧部を押すだけの簡単な操作で物品をケースから容易に取り出すことができる。
４．抑止部を設けることで、ポップアップ機構による大きな力を抑えることができ、収納物品の撥ね上げ解放に必要な力を調節することができる。
また、抑止部があるので収容時に収納物品を保持する状態に安定性がある。突起と凹部とからなる簡単な構造であるので、収納物品を保持する力も調整でき、自然な状態で収納物品を保持するとともに必要な保持力および抑止力を確保することができる。
５．収納台が一体成形されているため、ポップアップ機構および抑止部による調節機構を合成樹脂の一体成形部品にて形成でき、部品の数を少なくすることができる。さらに可塑性樹脂の柔軟性を利用してバネ体としてのスプリングを形成しているので素材の異なる部材を使用していないのでコストを抑えることができる。
【発明を実施するための最良の形態】
【００１３】
以下に本発明に係るポップアップ機構を図面にしたがって詳細に説明する。
図１は物品収容時における本発明のポップアップ機構の横断面図であり、図２（ａ）（ｂ）は物品取り出し時における本発明のポップアップ機構の横断面図である。
本発明のポップアップ機構２０は、薄型メモリーカード等の収納物品６０を収納するケースの中に設けられる構造であり、第一スプリング２２と、回転摘出部２５に設けられた第二スプリング２４と、同じく押圧部２６と、同じく回転軸２８と、係止突起部３４とから構成される。収納ケース内には薄型の収納物品６０としてここではＳＤメモリーカードが収容される。
【００１４】
ＳＤメモリーカードは収納ケースの底面に収容され、後述するように左右側面に突設されている掛止部４０によって係止されている。
収納物品を押し出し摘出させる収納物品のポップアップ機構を構成する第一スプリング２２は、柔軟性のある樹脂製の突片からなり、収納ケースの前側面上部の上面突部３２から下方に突設されており、薄型の収納物品６０の先端が当接する。挿入または撥ね出し時に薄型の収納物品６０の先端が押圧するのを跳ね返す程度の柔軟性のあるスプリング部材であって、材質はここではプラスチック等の樹脂素材が使用されている。
突設される第一スプリング２２の幅は、適宜に設定できるので特に限定されないが、図面に示す実施例では、図３に示すように収納物品の幅の四分の一程度の幅となっている。
【００１５】
回転摘出部２５は、収納ケースの後側に設けられる厚板状の回転体であり、一端に第二スプリングを他端に押圧部を一体的に形成した構成であり、回転軸２８を中心に軸回転する構造である。回転摘出部の他端の押圧部が下に押されると、軸回転して、一端の第二スプリングが上に移動する構成である。
【００１６】
第二スプリング２４は、収納ケースの内部の底面の一部を構成するもので、後方底面に板状のスプリングを形成している。回転軸２８を中心に回転して上方に移動し収納ケースに収容されている収納物品の後端底部を上方へ押し上げる。
【００１７】
押圧部２６は、薄型の収納物品６０を収納ケースから取り出す際、てこの原理の力点となる部分であり、厚板状に形成されている。第二スプリング２４と一体的に形成されている。
回転摘出部は、他端の押圧部が下に押されることにより軸回転して一端の第二スプリングが上に移動し、底面に収容されていた収納物品が収納ケース底面から押し上げられ、後端が収納ケースから飛び出して容易に外部に摘出される構造である。
【００１８】
回転軸２８は、第二スプリング２４と押圧部２６の設けられた回転摘出部を軸支する回転中心であり、てこの原理の支点となる部分である。回転軸２８は断面は円形のロッドに限られず、四角形等にすることも可能であるが、この実施例では、楕円形状にすることによりねじれ強度を上げ、変形率を抑えている。
【００１９】
さらに、回転摘出部の他端には、底面の第二スプリングに対向する上側に短い係止突起部３４が突設されており、他端の形状が略コの字型に形成されている。収納物品６０が収納されている状態では係止突起部３４は収納物が容易に外部に出ないように確保する機能を果たしている。後述するように回転摘出部が回転した場合は撥ね上げ効果を高めるための反発する力を蓄える係止部となる。
【００２０】
図１に示すように収容時において、薄型の収納物品６０は収納ケースの内部の底面の上に収納されており、底面に設けられた第二スプリング２４の上に乗った状態である。この実施例では収納部の横側面に両側から抑止部を設けて収納物品を挟持しているので、収容時の保持力を増すことができる。先端が第一スプリング２２に当接することにより保持力をさらに強化させることもできる。収納部は通常、収容される薄型物品と略同形状に形成され、収容された収納物品６０は側面からの挟持と突き出した上面突部３２と係止突起部３４により容易に収納部から外部に出ることがないように確保された構造である。
【００２１】
次に図２に示す収納物品の解放作動時における本発明のポップアップ機構の作動を説明する。
収納物品６０を収納ケースから取り出す場合、回転摘出部２５の他端の押圧部２６を下方に押圧する。図２（ａ）に示すように、回転摘出部２５は回転軸２８を中心に回動するので一体的に形成されている一端の第二スプリング２４が上方に持ち上げられる。第二スプリングが持ち上げられることにより、収容された薄型の収納物品６０の後端も同時に持ち上げられるが、収納物品の後端上部が係止突起部３４に当接する。これにより、収納物品６０の動きは一時的に停止または係止される。この係止により、第一スプリング２２によるバネ力と第二スプリング２４にバネ力が蓄えられる。これによりポップアップ力がため込まれ、勢いよく撥ね上げ解放する力を得ることができる。さらに押圧部２６が押され続けることにより底部が持ち上げられ、図２（ｂ）で示すように、上からの押圧力が係止突起部３４による係止力を上回ることにより後端上部と係止突起部の当接係止状態が外れて、収納物品６０の後端は勢いよく収納部から撥ね出され解放されて外部に飛び出す構成である。これにより、収納物品の後端が外部に出るので小さく薄いメモリーカードでも容易に取り出すことができる状態となる。
【００２２】
この構造により、力点となる押圧部の移動距離が収容した薄型の収納物品の幅程度の少ない移動距離しか確保できない場合であっても、２つのスプリングの力を利用することによって大きな撥ね上げ解放力を得ることができ、取り扱い難い収納物品を容易に取り出すことができる。
【実施例】
【００２３】
次に、ポップアップ機構を使用したＳＤカード収納ケースの実施例を説明する。
図３（ａ）はポップアップ機構を利用した収納ケースの平面図であり、図３（ｂ）は同じく断面図である。図４はポップアップ機構を利用した収納ケースの収納部の平面図であり、図５（ａ）は収納ケースの抑止部の収納部内壁の正面図であり、図５（ｂ）は同じくＡ−Ａ’断面図である。
【００２４】
図３に示す本発明のポップアップ機構を有した収納ケースは、収納台５２に凹設された６つの収納部５０に収納物品６０であるＳＤカードを各１枚ずつ計６枚が収容可能であり、６つの集合したＳＤカードの収納ケースは収納台５２自体を通常のプラスチック製のＣＤケースに収納する構成を取っている。従来のＣＤケースに収納しないで、特別の蓋体を被せる構成も可能である。また、収納台の大きさもこれに限定されるものではない。
収納台５２はこの実施例では合成樹脂製からなるが、弾力ある素材であれば材質は問わない。収納台および蓋体の形状はこれに限定されるものではなく、蓋体から収納台５２を横方向にスライドさせて開閉する構造とすることもできる。
収納部５０は、収納台５２および蓋体の形状に合わせて１個または複数個設けることが可能である。
【００２５】
収納物品であるＳＤカード６０は、収納ケースに収容する薄型の収納物品の一例である。ケースの収納部の形状を収納物品に合わせて適宜変更することにより、メモリースティック、その他の磁気記録媒体等、薄型に形成されている物品に対し利用することが可能である。
【００２６】
本発明のまた別の実施例として抑止部４０を装備することも可能である。抑止部４０は、ポップアップ機構と一体的に成形される。このため抑止部を装備しても部品数が増えることはなく、コストも低く抑えることが可能である。実施例のように収納部５０を含めた収納台５２を全て一体成形とすることも可能である。
実施例では押圧部２６を指で押し易くするため、上面に多少窪みを設けている。
【００２７】
抑止部４０は、図５（ａ）に示すように収納部の内側に設けられた棒状に縦に伸びた突起４４からなり、その背後は図５(ｂ)に示すように収納部の外壁に外側面を削設した凹部４２が形成されている構成である。収納部５２にＳＤカード６０が収容されると、突起４４が外側方向に凹部４２によって形成された空間に多少は窪む構造となっている。このため収容時のＳＤカード保持力を高めている。また、取り出し時には側面からの押圧によりポップアップ機構による急激な撥ね上げ解放を抑止し、力を調節する役割を果たす。
【００２８】
本発明のポップアップ機構を設けた収納ケースの収納部５０に収容されたＳＤカード６０は、第一スプリング２２と上面突起３２と横側面に設けられた抑止部４０の挟持により十分に堅固に保持されている。ＳＤカードの横側面の抑止部４０は、外側に凹部４２が削設されているため空間があり、凹部によって薄く形成された側面に突設されている突起４４によって挟持されているため、突起４４は軟らかく窪むことができ、ＳＤカードに過剰な力を与えることはなく、適度に保持される。
【００２９】
取り出す際は、使用者が回転摘出部２５の他端である押圧部２６を指で下方に押すことにより、押圧部２６が下方へ移動する。これにより回転軸２８を支点として、回転摘出部が回転し、一端にある板状の第二スプリング２４が上方へ持ち上げられる。底面に設けられた第二スプリング２４の上昇により、ＳＤカード６０の後端６０ａは持ち上げられるが、図２（ｂ）で示すように回転摘出部の一端の上部に設けられた係止突起部３４によって一時係止される。このとき、押圧部が押し続けられることで第二スプリング２４はさらに上方へ持ち上がろうとして、バネ力が蓄えられる。
【００３０】
一方、収納物品の先端は第一スプリング２２に当接し、さらに第二スプリングの上昇により、前方へ移動して第一スプリングを押圧して反発力を蓄える結果となる。第一スプリング２２と第二スプリング２４の２つのスプリングに蓄えられたバネ力により、係止突起部３４の係止力と抑止部４０の抑止力を越えると、ＳＤカード６０は撥ね上げられて第二スプリングの位置よりも高く跳ね上げられる。２つのスプリングによるポップアップ力は、ＳＤカードのような薄型で軽量の物品に用いるには大きすぎる可能性もあり、取り出す際に必要な力以上になる場合がある。本発明では、収納物品が勢い良く飛び出さないように、側面に抑止部４０を設け、ＳＤカード６０の側面に摩擦を加えることで必要以上のポップアップ力を抑止し、蓄えた力により過度に撥ね上げないように調節される。そのため、ＳＤカード６０は程よい高さまで持ち上げられ、誰が使用しても等しい力で容易に収納ケースから取り出すことが可能となる。
【図面の簡単な説明】
【００３１】
【図１】本発明のポップアップ機構の薄型物品収納時の断面図
【図２】本発明のポップアップ機構のポップアップ力解放時の断面図
【図３】（ａ）ポップアップ機構を利用した収納ケースの平面図、（ｂ）ポップアップ機構を利用した収納ケースの断面図
【図４】ポップアップ機構を利用した収納ケースの収納部の平面図
【図５】（ａ）ポップアップ機構を利用した収納ケースの抑止部の収納部内壁の正面図、（ｂ）図４に示すポップアップ機構を利用した収納ケースの抑止部のＡ−Ａ’断面図
【符号の説明】
【００３２】
１０    収納ケース
２０    ポップアップ機構
２２    第一スプリング
２４    第二スプリング
２５    回転摘出部
２６    押圧部
２８    回転軸
３２    上面突部
３４    係止突起部
４０    抑止部
４２    凹部
４４    突起
５０    収納部
５２    収納台
６０    ＳＤカード
６０ａ  ＳＤカード後端
【図１】
0004625423.tif 000002
【図２】
0004625423.tif 000003
【図３】
0004625423.tif 000004
【図４】
0004625423.tif 000005
【図５】
0004625423.tif 000006